(57)【要約】      （修正有）【課題】給水元栓に接続し本体を戸外に設置させる事により、冷水槽及び活水槽シリンダーを大型化して、水抵抗を少なくし、浄化部分と活水部分を分割する事で、浄化部分をカートリッジ式にする事で、メンテナンス性が良く、経済的な給水管元接続型浄化活水装置の開発・提供をする。【解決手段】給水管元に接続し、複数の蛇口に浄化活性水を供給する装置であって、浄水槽シリンダー３と活水槽シリンダー４を直列、又は並列に装着したもので、水に含まれる塩素等の物質を吸着除去させる活性炭等のフィルターを挿入した浄水部と、水の分子集団を小さくさせるトルマリン等から構成され、セラミック等を挿入した活水部とを分割式にし、浄水槽の活性炭フィルター等の濾過剤を容易に交換可能なカートリッジ方式にし、複数の浄化部と活水部を分割させて水質を改善するものである。【選択図】図１
0003104453.tif 000002
【実用新案登録請求の範囲】
【請求項１】
給水管の元栓に接続し、複数の蛇口に浄化活性水を供給する装置であって、外径が所定寸法（Ｄ１）を有する浄水槽シリンダー（３）と外径が所定寸法（Ｄ２）を有する活水槽シリンダー（４）を直列、又は並列に装着した事を特徴とする給水管元接続型浄化活水装置。
【請求項２】
水に含まれる塩素等の物質を吸着除去させる活性炭等のフィルターを挿入した浄水部と、水の分子集団を小さくさせるトルマリン等から構成され、且つ、セラミック等を挿入した活水部とを分割式にした事を特徴とする請求項１記載の給水管元接続型浄化活水装置。
【請求項３】
浄水槽の活性炭フィルター等の濾過剤を容易に交換可能なカートリッジケース（３ｃ）（３ｄ）に挿入させた事を特徴とする請求項１又は２記載の給水管元接続型浄化活水装置。
【請求項４】
複数の浄化部と活水部を分割させて水質を改善する事を特徴する請求項１〜３記載の給水管元接続型浄化活水装置。
【請求項５】
水の通過する順序は、浄化槽シリンダー（３）を最初に通過させ、そのあと活水槽シリンダー（４）を通過する様にさせる事を特徴とする請求項１〜４記載の給水管元接続型浄化活水装置。
【請求項６】
水の通過する順序は、浄化槽シリンダー（３）と活水槽シリンダー（４）を通過する様にさせる事を特徴とする請求項１〜４記載の給水管元接続型浄化活水装置。
【請求項７】
複数の浄水部のみを分割させ、直列又は並列させる様にした事を特徴とする請求項１〜４記載の給水管元接続型浄化活水装置。
【請求項８】
複数の活水部のみを分割させ、直列又は並列させる様にした事を特徴とする請求項１〜４記載の給水管元接続型浄化活水装置。
【考案の詳細な説明】
【技術分野】
【０００１】
この考案は、水道水や井戸水を給水元から家中全ての水の塩素や錆、濁り等の不純物・有機物を浄化活性させて、水質を改善させる給水管元接続型浄化活水装置に関するものである。
【背景技術】
【０００２】
従来、水道水等の水質を改善する機器として、活性炭で濾過させる方法や電気分解によって水分子を分解させる方法等が知られている。
【０００３】
しかし、各蛇口での単水栓の濾過である為、浄化能力に限界があるばかりか、通水量の低下や設置スペースの問題、又、全ての蛇口に設置するコストが掛かり非経済的であった。
【０００４】
又、浄水部及び活水部が全ての新品との交換方法の為、メンテナンスが難しく、高額なコストと手間が掛かるものもある。
【０００５】
又、これまでに水浄化装置に関する特許、及び実用新案は９００件以上出願されているが、その一部を参考資料として紹介する。（特許文献１〜３参照。）
【特許文献１】特開２００３−３２６２６２
【特許文献２】実開Ｈ０６−６３１９３
【特許文献３】実開Ｈ０６−６３１９４
【０００６】
そこで、上記の問題を解決する為、本装置の水質改善性能が良好で、しかも、浄水部及び活水部が簡単に交換出来、且つ、メンテナンス性が良く、低コストで誰でも入手可能な水質改善装置の開発が望まれている。
【考案の開示】
【考案が解決しようとする課題】
【０００７】
そこで、この発明は、上記課題を達成する為に、給水管の元栓に接続し本体を戸外に設置させる事により、冷水槽及び活水槽シリンダーを大型化して、水抵抗を少なくし、且つ、浄化部分と活水部分を分割する事で、浄化部分をカートリッジ方式にする事により、メンテナンス性が良く、経済的な給水管元接続型浄化活水装置の開発・提供をする事にある。
【課題を解決するための手段】
【０００８】
この課題を解決する為の手段として、この発明は給水管の元栓に接続し、複数の蛇口に浄化活性水を供給する装置であって、浄水槽シリンダーと活水槽シリンダーを直列、又は並列に装着したものである。
【０００９】
又、水に含まれる塩素等の物質を吸着除去させる活性炭等のフィルターを挿入した浄水部と、水の分子集団を小さくさせるトルマリン等から構成され、且つ、セラミック等を挿入した活水部とを分割式にしたものである。
【００１０】
又、浄水槽の活性炭フィルター等の濾過剤を容易に交換可能なカートリッジケースに挿入させたものである。
【００１１】
又、複数の浄化部と活水部を分割させて水質を改善するものである。
【００１２】
又、水の通過する順序は、浄化シリンダーを最初に通過させ、そのあと活水シリンダーを通過する様にしたものである。
【００１３】
又、水の通過する順序は、浄化シリンダーと活水シリンダーを通過する様にしたものである。
【００１４】
又、複数の浄水部のみを分割させ、直列又は並列させる様にしたものである。
【００１５】
更に、複数の活水部のみを分割させ、直列又は並列させる様にしたものである。
【考案の効果】
【００１６】
この考案の効果として、給水元栓に接続し本体を戸外に設置させる事により、冷水槽及び活水槽シリンダーを大型化して、水抵抗を少なくし、且つ、浄化部分と活水部分を分割し、浄化部分をカートリッジ式にする事で、メンテナンス性が良く、経済的である等、極めて有益なる効果を奏するものである。
【００１７】
又、この考案を使用する事で、水道水に含まれる塩素濃度を０ＰＰＭレベルに浄化させる事が出来、０．１ミクロン迄不純物を濾過する能力を有する。又、塩素濾過能力も１０万リッター〜５０万リッター迄水質に応じて浄化する事が可能である。
【００１８】
又、必要に応じて浄水部と活水部が分割されている為、浄水部と活水部の活性炭やセラミック等の容量の比率を、容易に変更する事が出来る為、個人の要求が臨機応変に満たす事が出来る。
【考案を実施するための最良の形態】
【００１９】
本考案では、給水口（７）から取り込まれた元水を浄水槽シリンダー（３）内にある浄水槽カートリッジ（３ｄ）で、濁り・錆等の５ミクロン以上の不純物を除去させ、その後、水槽カートリッジ（３ｃ）で５ミクロン以下の不純物や塩素・有機化合物等を除去させる。この浄水槽を二槽に分割させた目的は、目詰まり防止と、濾過能力低下防止の為である。
【００２０】
そして、浄化された水は、更に活水槽シリンダー（４）で水の分子集団が小さく、ミネラル分の多い健康に良い水に替えられる。又、上記浄水槽カートリッジ（３ｄ）で使用される内容物は、ばくはん石や珊瑚、ミクロフィルター等で構成され、又、浄水槽カートリッジ（３ｃ）で使用される内容物は、活性炭や亜硫酸カルシウム・ミクロフィルター等で構成されている。
【００２１】
更に、活水槽シリンダー（４）で使用される内容物は、トルマリン・ゼオライト・磁石・マグネタイト・竹炭・ゲルマニウム等のセラミックボールで構成されている。
【００２２】
そこで、この考案の最良の形態は、水道水だけでなく、井戸水・受水槽・工業用水において、水垢・赤錆防止等にも使用出来ることにある。
【実施例１】
【００２３】
そこで、この考案の一実施例を図１〜図５に基づいて詳述すると、給水管の元に接続し、複数の蛇口に浄化活性水を供給する装置であって、外径寸法がφ５０ｍｍ〜２００ｍｍの浄水槽シリンダー（３）と、外径寸法が８ｍｍ〜１００ｍｍの活水槽シリンダー（４）を直列、又は並列に装着した事を特徴とする給水管元接続型浄化活水装置から構成される。
【００２４】
又、水に含まれる塩素等の物質を吸着除去させる活性炭等のフィルターを挿入した浄水部と、水の分子集団を小さくさせるトルマリン等から構成され、且つ、セラミック等を挿入した活水部とを分割式にした事を特徴とする給水管元接続型浄化活水装置から構成される。
【００２５】
又、浄水槽の活性炭フィルター等の濾過剤を容易に交換可能なカートリッジケース（３ｃ）（３ｄ）に挿入させた事を特徴とする給水管元接続型浄化活水装置から構成される。
【００２６】
又、複数の浄化部と活水部を分割させて水質を改善する事を特徴とする給水管元接続型浄化活水装置から構成される。
【００２７】
又、水の通過する順序は、浄化槽シリンダー（３）を最初に通過させ、そのあと活水槽シリンダー（４）を通過する様にさせる事を特徴とする給水管元接続型浄化活水装置から構成される。
【００２８】
又、水の通過する順序は、浄化槽シリンダー（３）と活水槽シリンダー（４）を通過する様にさせる事を特徴とする給水管元接続型浄化活水装置から構成される。
【００２９】
又、複数の浄水部のみを分割させ、直列又は並列させる様にした事を特徴とする給水管元接続型浄化活水装置から構成される。
【００３０】
更に、複数の活水部のみを分割させ、直列又は並列させる様にした事を特徴とする給水管元接続型浄化活水装置から構成される。
【００３１】
次に、この考案の部品構成、及び流水経路と各部の機能について説明すると、図１に示す様に、本考案の装置は、主に配管部材と、固定台座（２）と、本体カバー（１）で構成され、配管部材は固定台座（２）にＵボルト（１１）でしっかり固定され、又、浄化槽シリンダー（３）上部には、シリンダー押え（１２）で周囲が固定され、更に、固定台座（２）の下部３箇所には、本体カバー（１）を装置に固定する為のプラスチックノブ（１３）が設けられている。
【００３２】
次に、流水経路について説明すると、まず、元水は装置右下の三方継手（７）から給水され、止水バルブ（６）を通過し、三方継手（１６）の上部を経由して浄化槽シリンダー（３）に入り、更に、浄化槽シリンダー（３）を通過した水は上方のＬ型管路（８ｂ）・管路（１０）・Ｌ型管路（８）を経由して活水槽シリンダー（４）に入り、活水槽シリンダー（４）から出た水はニップル（９）・止水バルブ（５）を経由してＬ型管路（７）の右側方向の排水口から排水され、家屋の配水管へ送り込まれる。
【００３３】
そして、上記浄化槽シリンダー（３）と活水槽シリンダー（４）の入出部にはメンテナンスが容易に行える様、ユニオン（１７ａ）（１７ｂ）・（１７ｃ）（１７ｄ）継手金具が設けられている。
【００３４】
又、給水口の左端に設けられた止水栓バルブ（１８）は、排水（）及び逆洗浄用に設けたもので、通常時は締めて使用する。
【００３５】
又、上記浄化槽シリンダー（３）内には、浄水前処理用分割カートリッジと浄水部分割カートリッジが挿入してあり、この部分で不純物等を浄化している。又、浄化槽シリンダー（３）の上部には、浄化槽シリンダー内の水圧を分散させて破損を防止する為に、スプリング（３ｆ）とリング（３ｅ）を併設している。そして、浄化槽シリンダー（３）を取り外した際に、カートリッジの交換が容易に出来る様、締付バンド（３ｂ）が設けられている。
【００３６】
又、止水栓バルブ（１４）は、元水と浄活水との混合比率を調整する為に用いたり、この考案のメンテナンス時に、バイパスとして元水のみを供給する時に使用する。
【産業上の利用可能性】
【００３７】
この考案の給水管元接続型浄化活水装置は、給水管の元栓に接続し本体を戸外に設置させる事により、冷水槽及び活水槽シリンダーを大型化して、水抵抗を少なくし、且つ、浄化部分と活水部分を分割する事で、浄化部分をカートリッジ方式にする事により、メンテナンス性が良く、経済的である為、広範囲な市場に効果を発揮する点で、産業上の利用可能性を有する。
【図面の簡単な説明】
【００３８】
【図１】この考案の実施例を示し、正面視断面図である。
【図２】この考案の実施例を示し、平面図である。
【図３】この考案の実施例を示し、右側面図である。
【図４】この考案の実施例を示し、請求項７に示す給水管元接続型浄化活水装置の概略図である。
【図５】この考案の実施例を示し、請求項８に示す給水管元接続型浄化活水装置の概略図である。
【符号の説明】
【００３９】
１  本体カバー
２  固定台座
３  浄水槽シリンダー
３ａ  浄水槽シリンダー本体
３ｂ  閉付バンド
３ｃ  浄水又は活水分割カートリッジ
３ｄ  浄水又は活水分割カートリッジ
３ｅ  リング
３ｆ  スプリング
４  活水槽シリンダー
５  止水栓バルブ
６  止水栓バルブ
７  三方継手
８  Ｌ型管路
８ｂ  Ｌ型管路
９  ニップル
１０  管路
１１  Ｕボルト
１２  シリンダー押え
１３  プラスチックノブ
１４  止水栓バルブ
１５  三方継手
１６  三方継手
１７ａ  ユニオン
１７ｂ  ユニオン
１７ｃ  ユニオン
１７ｄ  ユニオン
１８  止水栓バルブ
【図１】
0003104453.tif 000003
【図２】
0003104453.tif 000004
【図３】
0003104453.tif 000005
【図４】
0003104453.tif 000006
【図５】
0003104453.tif 000007